(57)【要約】【課題】画面のサイズを調整することができる手持ち装置及びその制御方法を提供する。【解決手段】本発明に係る手持ち装置は、ビデオ装置によって表示された画面サイズを調整する。また、この手持ち装置は、手持ち装置とビデオ装置との間の距離を算出するために用いられる計算モジュールと、前記距離に基づいて調整信号を取得するために用いられる取得モジュールと、前記調整信号をビデオ装置に送信して調整信号に基づいて表示画面のサイズを調整するために用いられる通信モジュールと、を備える。【選択図】図２
2014039255.tif 000002
【特許請求の範囲】
【請求項１】
ビデオ装置によって表示された画面サイズを調整するための手持ち装置であって、
前記手持ち装置と前記ビデオ装置との間の距離を算出するために用いられる計算モジュールと、
前記距離に基づいて調整信号を取得するために用いられる取得モジュールと、
前記調整信号を前記ビデオ装置に送信して前記調整信号に基づいて表示された画面のサイズを調整するために用いられる通信モジュールと、
を備えることを特徴とする手持ち装置。
【請求項２】
前記計算モジュールは、第一測定ユニットを備え、
前記第一測定ユニットは、第一提供ユニットと、画像収集ユニットと、画像分析ユニットと、を備え、
前記第一提供ユニットは、前記ビデオ装置によって表示された画面のサイズパラメータ値Ｄ１を画像分析ユニットに提供するために用いられ、
前記画像収集ユニットは、画像を取得し、且つ取得した画像を画像分析ユニットに提供するために用いられ、
前記画像は、ビデオ装置の表示画面を備え、
前記画像分析ユニットは、取得された画像のビデオ装置によって表示された画面のサイズパラメータ値Ｄ２を分析し、且つ前記ビデオ装置によって表示された画面のサイズパラメータ値Ｄ１及び取得された画像のビデオ装置によって表示された画面のサイズパラメータ値Ｄ２に基づいて、前記ビデオ装置と前記手持ち装置との間の距離を算出するために用いられること
を特徴とする請求項１に記載の手持ち装置。
【請求項３】
前記計算モジュールは、第二測定ユニットをさらに備え、
前記第二測定ユニットは、音声収集ユニット及び音声分析ユニットを備え、
前記ビデオ装置は、第二提供ユニットを備え、
前記第二提供ユニットは、前記ビデオ装置を制御して第一テスト音声を出力し、且つ前記第一テスト音声のパラメータ値を前記音声分析ユニットに提供するために用いられ、
前記音声収集ユニットは、第二テスト音声を収集して前記第二テスト音声のパラメータ値を音声分析ユニットに提供するために用いられ、
前記音声分析ユニットは、前記第一テスト音声と前記第二テスト音声の差値に基づいて、前記ビデオ装置と前記手持ち装置との間の距離を算出するために用いられること
を特徴とする請求項１又は２に記載の手持ち装置。
【請求項４】
前記第一テスト音声と前記第二テスト音声との差値は、前記第一テスト音声のパラメータと前記第二テスト音声のパラメータによって算出された第二テスト音声の前記第一テスト音声に対する減衰値であることを特徴とする請求項３に記載の手持ち装置。
【請求項５】
前記手持ち装置は、入力モジュールを備え、
前記入力モジュールは、ユーザーの操作によってバックライト制御信号を出力して、前記ビデオ装置を制御して表示領域の画面を表示しない部分のバックライトをオフするか又はオンにすること
を特徴とする請求項１から４のいずれかの一項に記載の手持ち装置。
【請求項６】
前記手持ち装置は、入力モジュールを備え、
前記入力モジュールはユーザーの操作によって字体調整信号を出力して、前記ビデオ装置を制御して表示された字体の大きさを調整すること
を特徴とする請求項１から４のいずれかの一項に記載の手持ち装置。
【請求項７】
前記手持ち装置は入力モジュールを備え、
前記入力モジュールはユーザーの操作によって画面調整信号を出力して、前記ビデオ装置を制御して複数のフローティングウィンドウをテレビの画面の周囲に表示させる請求項１から４のいずれかの一項に記載の手持ち装置。
【請求項８】
ビデオ装置によって表示された画面サイズを調整するための制御方法であって、
手持ち装置と前記ビデオ装置との間の距離を算出するステップと、
前記距離に基づいて調整信号を取得するステップと、
前記調整信号を前記ビデオ装置に送信して、前記調整信号に基づいて表示された画面のサイズを調整するステップと、
を備えることを特徴とする制御方法。
【請求項９】
前記手持ち装置と前記ビデオ装置との間の距離を算出するステップは、
前記ビデオ装置によって表示された画面のサイズパラメータを提供するサブステップと、
画像を取得し、該画像は前記ビデオ装置の表示画面を含むサブステップと、
取得された画面のサイズパラメータを抽出するサブステップと、
表示された画面のサイズパラメータと取得された画面のサイズパラメータとの比に基づいて前記ビデオ装置と前記手持ち装置との間の距離を算出するサブステップと、
を備えることを特徴とする請求項８に記載の制御方法。
【請求項１０】
前記手持ち装置と前記ビデオ装置との間の距離を算出するステップは、
第一テスト音声のパラメータを取得するサブステップと、
第二テスト音声を収集して前記第二音声のパラメータを抽出するサブステップと、
前記第一テスト音声と前記第二テスト音声との差値によってビデオ装置と手持ち装置との間の距離を算出し、ここで、前記差値とは、前記第一テスト音声のパラメータと前記第二テスト音声のパラメータによって算出された第二テスト音声の前記第一テスト音声に対する減衰値であるサブステップと、
を備えることを特徴とする請求項８に記載の制御方法。
【発明の詳細な説明】
【技術分野】
【０００１】
本発明は、手持ち装置に関し、特にビデオ装置を制御することができる手持ち装置及びその制御方法に関するものである。
【背景技術】
【０００２】
現在、電子科学技術の発展に伴い、テレビなどのような表示装置のディスプレイのサイズは、益々大きくなっている。しかし、ディスプレイによって表示される画面のサイズは変更することができないため、人々は長い時間近距離でテレビを見ると目が疲れやすく、遠距離でテレビを見ると、表示される画面をはっきりと見ることができない。従って、鑑賞に不便である。
【発明の概要】
【発明が解決しようとする課題】
【０００３】
本発明の目的は、前記課題を解決するために、画面のサイズを調整することができる手持ち装置及びその制御方法を提供することである。
【課題を解決するための手段】
【０００４】
前記目的を達成するために、本発明に係る手持ち装置は、ビデオ装置によって表示された画面サイズを調整する。また、前記手持ち装置は、前記手持ち装置と前記ビデオ装置との間の距離を算出するために用いられる計算モジュールと、前記距離に基づいて調整信号を取得するために用いられる取得モジュールと、前記調整信号を前記ビデオ装置に送信して前記調整信号に基づいて表示された画面のサイズを調整するために用いられる通信モジュールと、を備える。
【０００５】
前記目的を達成するために、本発明に係る制御方法は、ビデオ装置によって表示された画面サイズを調整する。また、前記制御方法は、手持ち装置と前記ビデオ装置との間の距離を算出するステップと、前記距離に基づいて調整信号を取得するステップと、前記調整信号を前記ビデオ装置に送信して調整信号に基づいて表示された画面のサイズを調整するステップと、を備える。
【発明の効果】
【０００６】
本発明の手持ち装置及び制御方法は、ユーザーとビデオ装置との間の距離に基づいて、表示された画面のサイズの大きさを自動で調整することができる。従って、鑑賞に便利である。
【図面の簡単な説明】
【０００７】
【図１】本発明の実施形態に係るビデオシステムを示す図である。
【図２】図１に示すビデオシステムの機能ブロック図である。
【図３】図１に示すビデオシステムの計算モジュールの機能ブロック図である。
【図４】図１に示すビデオシステムの画像計算方式を示す図である。
【図５】図１に示すビデオシステムの音声計算方式を示す図である。
【図６】図１に示すビデオシステムの画像計算方式の制御方法のフローチャートである。
【図７】図１に示すビデオシステムの音声計算方式の制御方法のフローチャートである。
【発明を実施するための形態】
【０００８】
以下、図面を参照して、本発明の実施形態について説明する。
【０００９】
図１を参照すると、ビデオシステム１００は、ビデオ装置１０及びビデオ装置１０によって表示された画面のサイズを調整するための手持ち装置２０を備える。手持ち装置２０は、リモートコントロール、携帯電話、携帯端末（ＰＤＡ）、タブレットパソコン等であることができる。手持ち装置２０はビデオ装置１０に無線接続される。例えば、ＷｉＦｉ（登録商標）、ブルートゥース（登録商標）又は赤外線によって接続される。ビデオ装置１０は、テレビ、モニター等であることができる。本実施形態において、ビデオ装置１０は画面及び音声を再生することができ、ビデオ装置１０と手持ち装置２０とはＷｉＦｉ（登録商標）によって接続される。
【００１０】
図２を参照すると、手持ち装置２０は、入力モジュール２１と、通信モジュール２２と、計算モジュール２３と、取得モジュール２５と、を備える。
【００１１】
入力モジュール２１は、ユーザーの操作に応答して切換コマンド、バックライト調整コマンド、字体調整コマンド及び画面調整コマンドを生成するために用いられる。具体的には、バックライト調整コマンド、字体調整コマンド及び画面調整コマンドは、手持ち装置２０に設置された４つの異なるボタンによって生成される。また、手持ち装置２０とビデオ装置１０との間は、ブルートゥースのような他の方式によって接続される場合、入力モジュール２１はユーザーの操作に応答して接続コマンドを生成して、手持ち装置２０とビデオ装置１０との間を通信接続させるために用いられる。
【００１２】
通信モジュール２２は、ユーザーの操作に応答してビデオ装置１０に接続される。具体的には、手持ち装置２０に設置されたＷｉＦｉ（登録商標）接続アイコンをタッチすると、手持ち装置２０はビデオ装置１０に無線接続される。
【００１３】
図３を参照すると、計算モジュール２３は、手持ち装置２０とビデオ装置１０との間の距離を算出するために用いられる。具体的には、計算モジュール２３は、第一測定ユニット２３０及び第二測定ユニット２４０を備える。第一測定ユニット２３０は画像計算方法を採用し、第二測定ユニット２４０は音声計算方法を採用する。第一測定ユニット２３０及び第二測定ユニット２４０は手持ち装置２０に共に設置されるが、単独で設置しても良い。本実施形態において、計算モジュール２３は、切換コマンドによって第一測定ユニット２３０と第二測定ユニット２４０との間で切り替えられる。
【００１４】
また、第一測定ユニット２３０は、第一提供ユニット２３１と、画像収集ユニット２３２と、画像分析ユニット２３３と、を備える。
【００１５】
第一提供ユニット２３１は前記切換コマンドに応答して、ビデオ装置１０によって表示された画面のサイズパラメータ値Ｄ１を、画像分析ユニット２３３に提供するために用いられる。ビデオ装置１０によって表示された画面のサイズパラメータ値Ｄ１は、ビデオ装置１０によって表示された画面の表示領域の辺長値である。該辺長値は、ビデオ装置１０によって表示された画面の表示領域の辺の長さの値又は辺の幅の値を含む。例えば、４２インチの液晶テレビの画面の表示領域の横の長さは１００ｃｍであり、縦の長さは６０ｃｍである。５５インチの液晶テレビの画面の表示領域の横の長さは１３５ｃｍであり、縦の長さは８０ｃｍである。本実施形態において、Ｄ１は、ビデオ装置１０によって表示された画面の表示領域の縦の長さの値である。ビデオ装置１０によって表示された画面のサイズパラメータ値Ｄ１は、ユーザーによって第一提供ユニット２３１に予め記憶することができるが、直接入力しても良い。
【００１６】
画像収集ユニット２３２は、画像を取得し、且つこの取得した画像を画像分析ユニット２３３に提供するために用いられる。該画像は、ビデオ装置１０の表示画面を備える。画像収集ユニット２３２は、予め設定された結像領域を備える。ビデオ装置１０の表示画面は、予め設定された結像領域に結像される。
【００１７】
画像分析ユニット２３３は、取得された画像のビデオ装置１０によって表示された画面のサイズパラメータ値Ｄ２を分析し、且つビデオ装置１０によって表示された画面のサイズパラメータ値Ｄ１及び取得された画像のビデオ装置１０によって表示された画面のサイズパラメータ値Ｄ２に基づいて、ビデオ装置１０と手持ち装置２０との間の距離を算出するために用いられる。具体的には、画像分析ユニット２３３は、Ｄ１とＤ２との比例関係に基づいて、ビデオ装置１０と手持ち装置２０との間の拡大比を算出する。これにより、ビデオ装置１０と手持ち装置２０との間の距離を算出する。その中で、表示された画面のサイズパラメータ値Ｄ２は、Ｄ１に対応する辺が結像領域に結像された後の長さの値である。具体的には、画像収集ユニット２３２は結像装置であり、デジタルズーム又は光学ズームを採用することができる。本実施形態において、画像収集ユニット２３２は光学ズームによって画像を取得する。
【００１８】
図４を参照すると、本実施形態において、ビデオ装置１０は６０インチの液晶テレビであり、表示された画面の表示領域の短辺の長さは７５０ｍｍ（図４のＤ１を参照）である。手持ち装置２０の画像収集ユニット２３２は光学ズームが採用されたレンズであり、画像を取得し、且つ焦点距離を５０ｍｍ（図４のｄ１を参照、その中で、Ｏ点は画像収集ユニット２３２の焦点）まで調整すると、ビデオ装置１０の表示画面は、手持ち装置２０の結像領域に結像される。この時、ビデオ装置１０の表示画面の表示領域の短辺に対応する画像の短辺は２５ｍｍ（図４のＤ２を参照）である。これにより、ビデオ装置１０と手持ち装置２０との間の拡大比は、３０：１と算出され、且つ画像収集ユニット２３２の焦点Ｏとビデオ装置１０との間の距離（図４のｄ２を参照）を算出することができる。具体的には、画像分析ユニット２３３は、Ｄ１／Ｄ２＝ｄ２／ｄ１という比例関係（即ち、７５０／２５＝ｄ２／５０）に基づいて、ｄ２の値（即ち、ｄ２＝１５００ｍｍ）を算出することができる。従って、ビデオ装置１０と、ビデオ装置１０と手持ち装置２０との距離Ｄ＝（ｄ２−ｄ１）＝１４５０ｍｍである。他の実施形態において、手持ち装置２０とビデオ装置１０との間の距離は、他の方法によって算出することができる。
【００１９】
第二測定ユニット２４０は、音声収集ユニット２４２及び音声分析ユニット２４３を備える。また、ビデオ装置１０は、第二提供ユニット１７を備える。
【００２０】
第二提供ユニット１７は、切換コマンドに応答してビデオ装置１０を制御して第一テスト音声を出力し、且つこの第一テスト音声のパラメータ値を音声分析ユニット２４３に提供するために用いられる。その中で、第一テスト音声の音量値は、ユーザーによって予め設定された後、第二提供ユニット１７に記憶することができるが、直接入力しても良い。本実施形態において、第一テスト音声のパラメータ値は第一テスト音声の電力の大きさである。
【００２１】
音声収集ユニット２４２は、第二テスト音声を収集して、第二テスト音声に対応するパラメータ値を音声分析ユニット２４３に提供するために用いられる。その中で、第二テスト音声は、第一テスト音声が一定の距離を経過して減衰して形成される。本実施形態において、音声収集ユニット２４２はマイクである。第二テスト音声のパラメータ値は第二テスト電力の大きさである。
【００２２】
音声分析ユニット２４３は、第一テスト音声と第二テスト音声との差値を算出し、且つ該差値に基づいてビデオ装置１０と手持ち装置２０との間の距離を算出するために用いられる。その中で、前記差値は、第二テスト音声の第一テスト音声に対する減衰値である。
【００２３】
図５を参照すると、具体的には、ビデオ装置１０には、第一電力増幅器１１及び第一電力増幅器１１に接続されているスピーカー１２が設置されている。また、手持ち装置２０には、スピーカー１２に対応するマイク２７及び第二電力増幅器２８が設置されている。本実施形態において、音声分析ユニット２４３は、以下の方式によって分析する。
【００２４】
（１）ビデオ装置１０が切換コマンドを受信すると、１つの標準音声が生成される。この標準音声は、第一電力増幅器１１を経過して一定の倍数に増幅された後、スピーカー１２によって第一テスト音声を出力する。第一テスト音声は、一定の距離を経過して減衰された後、第二テスト音声を形成してマイク２７に送信される。音声分析ユニット２４３は、第二テスト音声の第一テスト音声に対する減衰値を算出することによって、ビデオ装置１０と手持ち装置２０との間の距離を算出する。
【００２５】
（２）ビデオ装置１０が切換コマンドを受信すると、１つの標準音声が生成される。この標準音声は、第一電力増幅器１１を経過して一定の倍数に増幅された後、スピーカー１２によって第一テスト音声を出力する。第一テスト音声は、一定の距離を経過して減衰された後、第二テスト音声を形成してマイク２７に送信される。第二電力増幅器２８が減衰された第二テスト音声を予め設定された倍数に増幅した後の第二テスト音声と第一テスト音声の大きさは同じである。音声分析ユニット２４３は、第二電力増幅器２８の増幅倍数に基づいて第二テスト音声の第一テスト音声に対する減衰値を算出することによって、ビデオ装置１０と手持ち装置２０との間の距離を算出する。
【００２６】
本実施形態において、音声分析ユニット２４３は、上述した二種の方法の一種を採用する。また、第一電力増幅器１１の増幅倍数及び標準音声の音量の大きさは、ユーザーによって設定することができるが、ビデオ装置１０に予め記憶することもできる。例えば、標準音声は１ｄＢであり、第一電力増幅器１１の増幅倍数は５倍である。
【００２７】
また、本実施形態において、音声減衰値と距離との関係は以下の公式を介して算出される。
【００２８】
減衰値＝２０ｌｇＤ
【００２９】
ここで、Ｄはビデオ装置１０と手持ち装置２０との間の距離である。その中で、音声によって距離を計算する方法は、何れか一種の音声減衰値によって距離を計算する方法であることができる。
【００３０】
取得モジュール２５は、計算モジュール２３によって算出された距離に基づいて、ビデオ装置１０によって表示された画面のサイズの調整信号を取得し、且つ通信モジュール２２によってビデオ装置１０に送信して、表示画面のサイズを調整するために用いられる。その中で、表示画面のサイズと距離との間の比例関係は、使用前に取得モジュール２５に予め記憶することができる。具体的には、ビデオ装置１０の表示画面のサイズは、手持ち装置２０とビデオ装置１０との間の距離が遠くなるにつれて大きくなる。例えば、ビデオ装置１０の横の長さと縦の長さとの比が１６：９の６０インチの液晶テレビであり、手持ち装置２０とビデオ装置１０との間の距離が０ｍ〜１．５ｍである場合、表示画面のサイズは２８インチに調整される。手持ち装置２０とビデオ装置１０との間の距離が１．５ｍ〜２．０ｍである場合、表示画面のサイズは３６インチに調整される。
【００３１】
本発明の手持ち装置２０は、ビデオ装置１０が表示画面のサイズの調整信号に応答して対応するサイズに調整された後、ユーザーの操作によってビデオ装置１０の表示領域において表示されない領域を利用することができる。具体的には、ビデオ装置１０は、ユーザーの操作によってバックライト、表示字体及び表示画面モードを制御することができる。
【００３２】
ユーザーが入力モジュール２１をタッチしてバックライト調整コマンドを出力した場合、ビデオ装置１０は、バックライト調整コマンドを応答させて、ビデオ装置１０の表示領域の画面を表示しない部分のバックライトをオンにするか又はオフにすることによって、エネルギーを節約するという効果を達成することができる。その中で、表示領域は、ビデオ装置１０の画像を表示することができる領域である。例えば、ビデオ装置１０の表示領域は６０インチであり、ビデオ装置１０がバックライト調整コマンドに応答して表示画面のサイズを４８インチに調整した後、手持ち装置２０は、ビデオ装置１０を制御してビデオ装置１０の表示領域の画面を表示しない部分（即ち、４８インチ以外の部分）のバックライトをオフにする。
【００３３】
ユーザーが入力モジュール２１をタッチして字体調整コマンドを出力した場合、ビデオ装置１０は、字体調整コマンドを応答させてビデオ装置１０に表示された字体の大きさを調整する。その中で、字体の大きさの調整は、手持ち装置２０とビデオ装置１０との間の距離に基づいて調整する。例えば、手持ち装置２０とビデオ装置１０との間の距離が０．５ｍ〜１ｍである場合、手持ち装置２０はビデオ装置１０を制御して、表示された字体を１０号に調整する。手持ち装置２０とビデオ装置１０との間の距離が１ｍ〜１．５ｍである場合、手持ち装置２０はビデオ装置１０を制御して、表示された字体を１２号に調整する。これにより、ユーザーは遠距離からでもはっきりと見ることができる。
【００３４】
ユーザーが入力モジュール２１をタッチして画面調整コマンドを出力した場合、ビデオ装置１０は、画面調整コマンドを応答させて複数の所定のウィンドウをビデオ装置１０に表示された画面の周囲に表示させる。例えば、ビデオ装置１０の表示領域は６０インチであり、ビデオ装置１０は、画面調整コマンドを応答させて表示画面のサイズを４８インチに調整した後、手持ち装置２０は、ビデオ装置１０を制御してテレビのチャンネルメニュー、ビデオ再生画面などの複数のフローティングウィンドウをテレビの画面の周囲に表示させる。その中で、フローティングウィンドウの数量、タイプ及び位置は、ユーザーによって予め設定する又は必要に応じて自動で調整することができる。
【００３５】
図２を参照すると、ビデオ装置１０は、通信ユニット１３と、音声出力ユニット１４と、コマンド分析ユニット１５と、画像処理ユニット１６と、第二提供ユニット１７と、を備える。
【００３６】
通信ユニット１３は手持ち装置２０に接続されている。音声出力ユニット１４は、第二起動コマンドを受信して標準音声を出力する。ここで、音声出力ユニット１４はスピーカーである。コマンド分析ユニット１５は表示サイズ調整信号を取得して分析した後、該分析した表示サイズ調整信号を画像処理ユニット１６に送信する。画像処理ユニット１６は、前記表示サイズ調整信号に基づいてビデオ装置１０の表示画面のサイズを調整する。第二提供ユニット１７は切換コマンドを応答させて、ビデオ装置１０を制御して第一テスト音声を出力して第一テスト音声のパラメータを音声分析ユニット２４３に提供する。
【００３７】
ビデオ装置の表示画面のサイズを制御する制御方法は、第一測定ユニットに採用される画像制御方法（図６に示す）及び第二測定ユニットに採用される音声制御方法（図７に示す）を備える。
【００３８】
図６を参照すると、画像制御方法は、以下のステップを含む。
【００３９】
ステップＳ６０１：ビデオ装置によって表示された画面のサイズパラメータを提供する。
【００４０】
ステップＳ６０３：画像を取得し、画像は、ビデオ装置の表示画面を含む。その中で、ビデオ装置によって表示された画面は、予め設定された画像領域に結像される。
【００４１】
ステップＳ６０５：取得された画面のサイズパラメータを抽出する。
【００４２】
ステップＳ６０７：表示された画面のサイズパラメータと取得された画面のサイズパラメータとの比に基づいて、ビデオ装置１０と手持ち装置２０との間の距離を算出する。
【００４３】
ステップＳ６０９：前記距離によって表示された画面のサイズ調整信号を生成する。
【００４４】
ステップＳ６１１：表示された画面のサイズ調整信号をビデオ装置１０に送信して、ビデオ装置１０によって表示された画面のサイズを調整する。
【００４５】
図７を参照すると、音声制御方法は、以下のステップを含む。
【００４６】
ステップＳ７０１：第一テスト音声のパラメータを取得する。
【００４７】
ステップＳ７０３：第二テスト音声を収集して第二音声のパラメータを抽出する。
【００４８】
ステップＳ７０５：第一テスト音声と第二テスト音声との差値によって、ビデオ装置１０と手持ち装置２０との間の距離を算出する。ここで、前記差値とは、第一テスト音声のパラメータと第二テスト音声のパラメータとによって算出された第二テスト音声の第一テスト音声に対する減衰値である。
【００４９】
ステップＳ７０７：前記距離によって表示された画面のサイズ調整信号を生成する。
【００５０】
ステップＳ７０９：表示された画面のサイズ調整信号をビデオ装置１０に送信して、ビデオ装置１０によって表示された画面のサイズを調整する。
【００５１】
本発明の手持ち装置及びその制御方法は、ユーザーとビデオ装置１０との間の距離によって表示された画面のサイズの大きさを自動で調整することができる。また、サイズを調整した後、ユーザーは、必要に応じてバックライトをオフにすること、字体を調整すること及び複数のウィンドウを採用して表示することができるため、使用に便利である。
【００５２】
以上、本発明を実施形態に基づいて具体的に説明したが、本発明は、上述の実施形態に限定されるものではなく、その要旨を逸脱しない範囲において、種々の変更が可能であることは勿論であって、本発明の技術的範囲は、以下の特許請求の範囲から決まる。
【符号の説明】
【００５３】
１０    ビデオ装置
１１    第一電力増幅器
１２    スピーカー
１３    通信ユニット
１４    音声出力ユニット
１５    コマンド分析ユニット
１６    画像処理ユニット
１７    第二提供ユニット
２０    手持ち装置
２１    入力モジュール
２２    通信モジュール
２３    計算モジュール
２５    取得モジュール
２７    マイク
２８    第二電力増幅器
１００  ビデオシステム
２３０  第一測定ユニット
２３１  第一提供ユニット
２３２  画像収集ユニット
２３３  画像分析ユニット
２４０  第二測定ユニット
２４２  音声収集ユニット
２４３  音声分析ユニット
【図１】
2014039255.tif 000003
【図２】
2014039255.tif 000004
【図３】
2014039255.tif 000005
【図４】
2014039255.tif 000006
【図５】
2014039255.tif 000007
【図６】
2014039255.tif 000008
【図７】
2014039255.tif 000009